(57)【要約】【課題】発信者などに応じて、擬似リングバックトーンを送出するか、音声メッセージを送出するかを自動的に選択できるファクシミリ装置などの通信端末装置を提供する。【解決手段】ファクシミリ装置２０の主制御部１は、着信時において、発信電話番号通知サービスを用いて発信電話番号を検出し、検出された発信電話番号に基づいて、発信電話番号毎に送出する応答（擬似リングバックトーン又は音声メッセージ）を予め記憶した第１の応答選択テーブル７ａを参照して、擬似リングバックトーンを送出するか、もしくは所定の音声メッセージを送出するかを自動的に選択し、選択した擬似リングバックトーン又は音声メッセージを送出するように制御する（図４のステップＳ４，Ｓ６−Ｓ８）。【選択図】　図４
2004064522.tif 000002
【特許請求の範囲】
【請求項１】
着信時において発信電話番号を検出する検出手段と、検出された発信電話番号に基づいて、擬似リングバックトーンを送出するか、もしくは所定の音声メッセージを送出するかを選択し、選択した擬似リングバックトーン又は音声メッセージを送出するように制御する制御手段とを備えたことを特徴とする通信端末装置。
【請求項２】
現在時刻を計時する計時手段と、着信時において、計時された現在時刻に基づいて、擬似リングバックトーンを送出するか、もしくは所定の音声メッセージを送出するかを選択し、選択した擬似リングバックトーン又は音声メッセージを送出するように制御する制御手段とを備えたことを特徴とする通信端末装置。
【請求項３】
着信時において発信電話番号を検出し、音声メッセージを送出した場合に発信元が通信回線を切断したとき、検出した発信電話番号を音声メッセージを出力しない発信電話番号として記憶装置に記憶する記憶手段と、その後の着信時において発信電話番号を検出し、検出した発信電話番号が上記記憶手段に記憶された発信電話番号であるとき、擬似リングバックトーンを送出するように制御する制御手段とを備えたことを特徴とする通信端末装置。
【発明の詳細な説明】
【０００１】
【発明の属する技術分野】
本発明は、着信ユーザのオフフックの前に自動的に通信回線をオフフックし、擬似リングバックトーン又は音声メッセージを送出する自動オフフック機能を有するファクシミリ装置などの通信端末装置に関する。
【０００２】
【従来の技術】
着信時において、着信ユーザのオフフックの前に所定の読み出し音の回数に依存して自動的に通信回線をオフフックし、ファクシミリ装置又は電話の通話による応対が可能である待機モードとなった後、擬似リングバックトーン又は音声メッセージを送出する自動オフフック機能を有するファクシミリ装置が実用化されている。
【０００３】
【発明が解決しようとする課題】
上述の着信時の待機モードにおいて、ファクシミリのスタート操作又は留守番電話機による録音開始でメッセージを発声することを促す音声メッセージが聞こえてきた場合、不意に受話器を置いてオンフックしてしまう発信者や、当該音声メッセージが必要である発信者など人さまざまであり、これらの人々すべてに対応できる待機モードがなく、大切な着信呼を逃してしまうことがあり、大変不便であった。
【０００４】
本発明の目的は以上の問題点を解決し、発信者などに応じて、擬似リングバックトーンを送出するか、音声メッセージを送出するかを自動的に選択できるファクシミリ装置などの通信端末装置を提供することにある。
【０００５】
【課題を解決するための手段】
第１の発明に係る通信端末装置は、着信時において発信電話番号を検出する検出手段と、検出された発信電話番号に基づいて、擬似リングバックトーンを送出するか、もしくは所定の音声メッセージを送出するかを選択し、選択した擬似リングバックトーン又は音声メッセージを送出するように制御する制御手段とを備えたことを特徴とする。
【０００６】
また、第２の発明に係る通信端末装置は、現在時刻を計時する計時手段と、着信時において、計時された現在時刻に基づいて、擬似リングバックトーンを送出するか、もしくは所定の音声メッセージを送出するかを選択し、選択した擬似リングバックトーン又は音声メッセージを送出するように制御する制御手段とを備えたことを特徴とする。
【０００７】
さらに、第３の発明に係る通信端末装置は、着信時において発信電話番号を検出し、音声メッセージを送出した場合に発信元が通信回線を切断したとき、検出した発信電話番号を音声メッセージを出力しない発信電話番号として記憶装置に記憶する記憶手段と、その後の着信時において発信電話番号を検出し、検出した発信電話番号が上記記憶手段に記憶された発信電話番号であるとき、擬似リングバックトーンを送出するように制御する制御手段とを備えたことを特徴とする。
【０００８】
【発明の実施の形態】
以下、図面を参照して本発明に係る実施形態について説明する。
【０００９】
＜実施形態＞
図１は、本発明に係る実施形態である、自動オフフック機能を有するファクシミリ装置２０の構成を示すブロック図である。この実施形態に係るファクシミリ装置２０の主制御部１は、着信時において、発信電話番号通知サービスを用いて発信電話番号を検出し、検出された発信電話番号に基づいて、発信電話番号毎に送出する応答（擬似リングバックトーン又は音声メッセージ）を予め記憶した第１の応答選択テーブル７ａを参照して、擬似リングバックトーンを送出するか、もしくは所定の音声メッセージを送出するかを自動的に選択し、選択した擬似リングバックトーン又は音声メッセージを送出するように制御する（図４のステップＳ４，Ｓ６−Ｓ８）ことを特徴としている。
【００１０】
また、主制御部１は、着信時において、クロック回路９により計時された現在時刻に基づいて、時間帯毎に送出する応答（擬似リングバックトーン又は音声メッセージ）を予め記憶した第１の応答選択テーブル７ａを参照して、擬似リングバックトーンを送出するか、もしくは所定の音声メッセージを送出するかを自動的に選択し、選択した擬似リングバックトーン又は音声メッセージを送出するように制御する（図４のステップＳ５，Ｓ６−Ｓ８）ことを特徴としている。
【００１１】
さらに、主制御部１は、着信時において発信電話番号通知サービスを用いて発信電話番号を検出し（ステップＳ２）、音声メッセージを送出した場合に発信元が通信回線を切断したとき（ステップＳ８−Ｓ９）、検出した発信電話番号を音声メッセージを出力しない発信電話番号として記憶装置に記憶し（ステップＳ１０）、その後の着信時において発信電話番号を検出し、検出した発信電話番号が上記記憶手段に記憶された発信電話番号であるとき、擬似リングバックトーンを送出するように制御する（図４のステップＳ４，Ｓ６−Ｓ８）ことを特徴としている。
【００１２】
図１において、ファクシミリ装置２０は、従来のＧ３方式等のファクシミリ通信機能を備えるとともに、着信ユーザのオフフックの前に自動的に通信回線をオフフックし、擬似リングバックトーン又は音声メッセージを送出する自動オフフック機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１３】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１４】
ＲＯＭ６は、当該ファクシミリ装置２０の動作に必要であって主制御部１によって実行される種々のソフトウェアのプログラムを予め格納し、ここで、当該プログラムは、少なくとも図４の着信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１５】
クロック回路９は現在時刻を計時し、主制御部１から要求信号に応答して、現在時刻を示す時刻データを主制御部１に出力する。
【００１６】
ファックスモデム１０は、ＮＣＵ（ネットワーク制御回路：Ｎｅｔｗｏｒｋ　Ｃｏｎｔｒｏｌ　Ｕｎｉｔ）１１を介して公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はそれぞれ、アナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１７】
なお、ＮＣＵ１１を所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル通信回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、自動オフフック機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図２は、図１のＲＡＭ７内の第１の応答選択テーブル７ａの一例を示す図である。図２の第１の応答選択テーブル７ａにおいては、発信電話番号毎に、送出する応答して、擬似リングバックトーン又は所定の音声メッセージが設定されている。この設定は、操作部５を用いて予めユーザにより入力されて設定されるほか、図４のステップＳ１０の処理において、着信時に音声メッセージを送出中において発信元が通信回線を切断するためにオンフックした場合、その発信元の発信電話番号を音声メッセージを送出せず、擬似リングバックトーンを送出する発信電話番号として第１の応答選択テーブル７ａに自動的に追加設定される。また、上記音声メッセージとは、例えば、ファクシミリのスタート操作又は留守番電話機による録音開始でメッセージを発声することを促す音声メッセージである。
【００２０】
図３は図１のＲＡＭ７内の第２の応答選択テーブル７ｂの一例を示す図である。図３の第２の応答選択テーブル７ｂにおいては、指定時間帯毎に、送出する応答して、擬似リングバックトーン又は所定の音声メッセージが設定されている。この設定は、操作部５を用いて予めユーザにより入力されて設定される。
【００２１】
図４は、図１の主制御部１によって実行される着信処理を示すフローチャートである。図４において、まず、ステップＳ１において着呼したか否かが判断され、ＹＥＳとなったときに、ステップＳ２において発信電話番号通知サービスによる発信電話番号情報を受信し（なお、発信電話番号通知サービスを受けることができないときはこの処理をスキップする。）、ステップＳ３において音声切り替え設定モードが設定されているか否かが判断され、ＹＥＳのときはステップＳ４に進む一方、ＮＯのときはステップＳ８に進む。次いで、ステップＳ４において第１の応答選択テーブル７ａに基づいて、指定した発信元からの着信か否かが判断され、ＹＥＳのときはステップＳ６に進む一方、ＮＯのときはステップＳ５に進む。そして、ステップＳ５において、第２の応答選択テーブル７ｂに基づいて、指定した時間帯の着信か否かが判断され、ＹＥＳのときはステップＳ６に進む一方、ＮＯのときはステップＳ８に進む。さらに、ステップＳ６において擬似リングトーンの送出モードが設定されているか否かが判断され、ＹＥＳのときはステップＳ７に進む一方、ＮＯのときはステップＳ８に進む。ステップＳ７においては、擬似リングトーンの出力を開始し、ステップＳ１１に進む。一方、ステップＳ８において音声メッセージの送出を開始し、ステップＳ９に進む。
【００２２】
次いで、ステップＳ９において音声メッセージの送出中において発信者がオンフックして回線断となったか否かが判断され、ＹＥＳのときはステップＳ１０に進む一方、ＮＯのときはステップＳ１１に進む。ステップＳ１０においては、直前に着信した発信電話番号を擬似リングバックトーンを送出する発信電話番号として第１の応答選択テーブル７ａに記憶した後、ステップＳ１４において回線開放して当該着信処理を終了する。
【００２３】
一方、ステップＳ１１において当該ファクシミリ装置２０の操作者が受話器をとってオフフックしたか否かが判断され、ＹＥＳのときはステップＳ１２に進む一方、ＮＯのときはステップＳ１３に進む。ステップＳ１２において、当該ファクシミリ装置２０の操作者による通話又はファクシミリ受信の操作による処理を実行した後、ステップＳ１４で回線開放し、当該着信処理を終了する。一方、ステップＳ１１でＮＯのときは、ステップＳ１３において留守番電話機及びファクシミリモード処理が実行され、留守番電話機による録音又はファクシミリ自動受信処理が実行され、その後、ステップＳ１４で回線開放し、当該着信処理を終了する。
【００２４】
以上説明したように、本実施形態によれば、主制御部１は、着信時において、発信電話番号通知サービスを用いて発信電話番号を検出し、検出された発信電話番号に基づいて、発信電話番号毎に送出する応答（擬似リングバックトーン又は音声メッセージ）を予め記憶した第１の応答選択テーブル７ａを参照して、擬似リングバックトーンを送出するか、もしくは所定の音声メッセージを送出するかを自動的に選択し、選択した擬似リングバックトーン又は音声メッセージを送出するように制御する（図４のステップＳ４，Ｓ６−Ｓ８）。従って、音声メッセージが必要な人からの着信にも、音声メッセージを聞くと回線断する人からの着信にも柔軟に対応でき、大切な着信呼を逃すことが少なくなり、大変便利である。
【００２５】
また、主制御部１は、着信時において、クロック回路９により計時された現在時刻に基づいて、時間帯毎に送出する応答（擬似リングバックトーン又は音声メッセージ）を予め記憶した第１の応答選択テーブル７ａを参照して、擬似リングバックトーンを送出するか、もしくは所定の音声メッセージを送出するかを自動的に選択し、選択した擬似リングバックトーン又は音声メッセージを送出するように制御する（図４のステップＳ５，Ｓ６−Ｓ８）。従って、音声メッセージが必要な人からの着信にも、音声メッセージを聞くと回線断する人からの着信にも柔軟に対応でき、大切な着信呼を逃すことが少なくなり、大変便利である。
【００２６】
さらに、主制御部１は、着信時において発信電話番号通知サービスを用いて発信電話番号を検出し（ステップＳ２）、音声メッセージを送出した場合に発信元が通信回線を切断したとき（ステップＳ８−Ｓ９）、検出した発信電話番号を音声メッセージを出力しない発信電話番号として記憶装置に記憶し（ステップＳ１０）、その後の着信時において発信電話番号を検出し、検出した発信電話番号が上記記憶手段に記憶された発信電話番号であるとき、擬似リングバックトーンを送出するように制御する（図４のステップＳ４，Ｓ６−Ｓ８）。従って、音声メッセージが必要な人からの着信にも、音声メッセージを聞くと回線断する人からの着信にも柔軟に対応でき、大切な着信呼を逃すことが少なくなり、大変便利である。
【００２７】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。
【００２８】
【発明の効果】
以上詳述したように第１の発明に係る通信端末装置によれば、着信時において発信電話番号を検出する検出手段と、検出された発信電話番号に基づいて、擬似リングバックトーンを送出するか、もしくは所定の音声メッセージを送出するかを選択し、選択した擬似リングバックトーン又は音声メッセージを送出するように制御する制御手段とを備える。従って、音声メッセージが必要な人からの着信にも、音声メッセージを聞くと回線断する人からの着信にも柔軟に対応でき、大切な着信呼を逃すことが少なくなり、大変便利である。
【００２９】
また、第２の発明に係る通信端末装置によれば、現在時刻を計時する計時手段と、着信時において、計時された現在時刻に基づいて、擬似リングバックトーンを送出するか、もしくは所定の音声メッセージを送出するかを選択し、選択した擬似リングバックトーン又は音声メッセージを送出するように制御する制御手段とを備える。従って、音声メッセージが必要な人からの着信にも、音声メッセージを聞くと回線断する人からの着信にも柔軟に対応でき、大切な着信呼を逃すことが少なくなり、大変便利である。
【００３０】
さらに、第３の発明に係る通信端末装置によれば、着信時において発信電話番号を検出し、音声メッセージを送出した場合に発信元が通信回線を切断したとき、検出した発信電話番号を音声メッセージを出力しない発信電話番号として記憶装置に記憶する記憶手段と、その後の着信時において発信電話番号を検出し、検出した発信電話番号が上記記憶手段に記憶された発信電話番号であるとき、擬似リングバックトーンを送出するように制御する制御手段とを備える。従って、音声メッセージが必要な人からの着信にも、音声メッセージを聞くと回線断する人からの着信にも柔軟に対応でき、大切な着信呼を逃すことが少なくなり、大変便利である。
【図面の簡単な説明】
【図１】本発明に係る実施形態である、自動オフフック機能を有するファクシミリ装置２０の構成を示すブロック図である。
【図２】図１のＲＡＭ７内の第１の応答選択テーブル７ａの一例を示す図である。
【図３】図１のＲＡＭ７内の第２の応答選択テーブル７ｂの一例を示す図である。
【図４】図１の主制御部１によって実行される着信処理を示すフローチャートである。
【符号の説明】
１…主制御部、
２…画像読取部、
３…画像記録部、
４…表示部、
５…操作部、
６…ＲＯＭ、
７…ＲＡＭ、
７ａ…第１の応答選択テーブル、
７ｂ…第２の応答選択テーブル、
８…画像メモリ、
９…クロック回路、
１０…ファックスモデム、
１１…ＮＣＵ、
１３…バス、
２０…ファクシミリ装置、
Ｌ…公衆電話回線。
【図１】
2004064522.tif 000003
【図２】
2004064522.tif 000004
【図３】
2004064522.tif 000005
【図４】
2004064522.tif 000006